(57)【要約】【課題】プレート式ハンドルロック装置の鎖錠プレートに簡易な部品を追加するだけで、遮断器のＯＦＦ状態でのみ南京錠を掛けてハンドルをＯＦＦ位置に鎖錠できるようにする。【解決手段】回路遮断器１のケースカバー１bから突き出すロッカー式のハンドルをＯＦＦ位置に鎖錠するハンドルロック装置であって、ハンドル２の側方に沿って起立する鎖錠プレート3の板面に穿孔した施錠穴３ａに南京錠５を掛けてハンドル２をＯＦＦ位置に拘束するようにしたものにおいて、前記鎖錠プレート3にスライド式のシャッタ板6を追加装備して該シャッタ板６の一端をハンドル２に連繋させ、ハンドル２のＯＮ位置では鎖錠プレートの施錠穴３ａをシャッタ板6で塞いで南京錠が掛けられないようにする。一方、ハンドル２をＯＦＦ位置に移動すると、シャッタ板６が後退して施錠穴３ａが開放されるので、この状態では施錠穴に南京錠５を掛けてハンドル２をＯＦＦ位置に鎖錠することができる。【選択図】        図１
2008186644.tif 000002
【特許請求の範囲】
【請求項１】
遮断器本体に装備したロッカー式の開閉操作ハンドルをＯＦＦ位置に鎖錠するための回路遮断器のハンドルロック装置で、前記ハンドルの側方に沿って起立する鎖錠プレートを遮断器本体のケースカバー上に取付け、該鎖錠プレートの板面に穿孔した施錠穴に南京錠を掛けてハンドルをＯＦＦ位置に拘束するようにしたものにおいて、
前記の鎖錠プレートにスライド式のシャッタ部材を設けるとともに、該シャッタ部材をハンドルに連繋してインターロックし、ハンドルのＯＮ位置では鎖錠プレートの施錠穴を前記シャッタ部材で塞ぐようにしたことを特徴とする回路遮断器のハンドルロック装置。
【請求項２】
請求項１に記載のハンドルロック装置において、シャッタ部材が、鎖錠プレートの板面に沿ってその長手方向へスライド可能に案内支持されたシャッタ板で、かつ該シャッタ板から側方に突出してハンドルに連繋する係合突起を設けたことを特徴とする回路遮断器のハンドルロック装置。
【発明の詳細な説明】
【技術分野】
【０００１】
本発明は、配線用遮断器，漏電遮断器などを対象に、その外部付属装置として適用する回路遮断器のハンドルロック装置に関する。
【背景技術】
【０００２】
周知のように、頭記の配線用遮断器，漏電遮断器は手動操作で主回路接点を開閉するロッカー式のハンドルを装備しており、配電盤，操作盤などに装備して使用する場合に保守員，部外者による不用意なハンドル誤操作を規制して事故を防止するために、南京錠を掛けてハンドルをＯＮ，あるいはＯＦＦ位置に鎖錠するようにしたハンドルロック装置が回路遮断器の外部付属装置（オプション品）として用意されている。
【０００３】
また、このハンドルロック装置は各種タイプのものがあるが、その一つとしてハンドルの側方に沿って起立する鎖錠プレートを遮断器本体のケースカバー上に取付け、該鎖錠プレートの板面に穿孔した施錠穴に南京錠を掛けてハンドルをＯＮ位置（主回路接点が閉），あるいはＯＦＦ位置（主回路接点が開）に拘束するようにしたプレート式のハンドルロック装置が知られている（例えば、特許文献１参照）。
【０００４】
次に前記ハンドルロック装置の従来構造を図５，図６に示す。なお、図示例のハンドルロック装置はＯＮおよびＯＦＦの各位置でハンドルを鎖錠するタイプであり、図において、１は回路遮断器、１ａは遮断器本体ケース(モールドケース)、１ｂはケースカバー、２はケースカバー１ｂから把手部が外方に突き出したロッカー式の開閉操作ハンドル、３がケースカバー１ａに組み付けたハンドルロック装置の鎖錠プレートである。ここで、ハンドルロック装置の鎖錠プレート３は、ハンドル２の把手部側方に沿って起立するプレートの板面にハンドル２のＯＦＦ，ＯＮ位置に対応する二つの施錠穴３ａ，３ｂを穿孔した板金部材になり、その両端に形成した取付座にねじ４を螺合して遮断器本体のケースカバー１ｂに締結固定している。
【０００５】
上記の構成で回路遮断器１のハンドル２をＯＮ位置に鎖錠する場合には、図５（ａ），図６（ａ）で示すように、ハンドル２をＯＮ位置に移動した状態で、鎖錠プレート３の板面に穿孔した二つの施錠穴３ａ，３ｂのうちのＯＮ位置側に並ぶ施錠穴３ｂに南京錠５を掛ける。これにより、ハンドル２はＯＮ位置に拘束されてＯＦＦ位置への移動が阻止される。
【０００６】
また、ハンドル操作で回路遮断器１の接点を開極して主回路を断路した上で、このハンドル２をＯＦＦ位置で鎖錠する場合には、図５（ｂ），図６（ｂ）で示すように南京錠５を鎖錠プレート３に穿孔した施錠穴のうちＯＦＦ位置側の施錠３ａに掛け、ハンドル２がＯＦＦ位置からＯＮ位置に移動できないようにする。
【特許文献１】特開平７−３３５０６４号公報
【発明の開示】
【発明が解決しようとする課題】
【０００７】
上記の回路遮断器を装備した配電盤，操作盤などで盤内の配電系統を点検する場合に、回路遮断器をＯＦＦ操作して主回路を断路した状態で行う点検作業中に誤って回路遮断器を投入すると、感電などの事故を引き起こすおそれがある。このように使用先現場でＯＦＦ状態にある回路遮断器を誤って投入すると重大事故に波及する懸念があることから、昨今では回路遮断器をＯＮ状態では鎖錠せずにＯＦＦ状態でのみ鎖錠するハンドルロック装置の要望，需要が多くなっている。
【０００８】
このようなニーズに対しては、図５，図６に示したプレート式のハンドルロック装置３の鎖錠プレートに穿孔した施錠穴３ａ，３ｂのうち、ハンドル２のＯＦＦ位置に対応する施錠穴３ａのみを残してＯＮ位置に対応する施錠穴３ｂを無くすことで簡単に対応できるものの、このままでは実際の取扱い面では次記のような課題を残す。
すなわち、ハンドル２をＯＮ位置にセットした状態でも、ＯＦＦ位置に対応する施錠穴３ａが露呈していてここに南京錠５を掛けることが可能である。このために、保守員がハンドル２のＯＮ，ＯＦＦ位置を十分に目視確認せずに、ハンドル２のＯＮ位置で施錠穴３ａに南京錠５を掛けてしまうといった単純な施錠ミスを防ぐことができない。
【０００９】
本発明は上記の点に鑑みなされたものであり、鎖錠プレートに簡易な部品を追加するだけでハンドルのＯＮ位置での南京錠による鎖錠を阻止し、ＯＦＦ位置でのみ南京錠を掛けてハンドルを鎖錠できるように改良した信頼性の高い回路遮断器のハンドルロック装置を提供することを目的とする。
【課題を解決するための手段】
【００１０】
上記目的を達成するために、本発明によれば、遮断器本体に装備したロッカー式の開閉操作ハンドルをＯＦＦ位置に鎖錠するための回路遮断器のハンドルロック装置で、前記ハンドルの側方に沿って起立する鎖錠プレートを遮断器本体のケースカバー上に取付け、該鎖錠プレートの板面に穿孔した施錠穴に南京錠を掛けてハンドルをＯＦＦ位置に拘束するようにしたものにおいて、
前記の鎖錠プレートにスライド式のシャッタ部材を設けるとともに、該シャッタ部材をハンドルに連繋してインターロックし、ハンドルのＯＮ位置では鎖錠プレートに穿孔した施錠穴を前記シャッタ部材で塞ぐようにする（請求項１）。
【００１１】
ここで、前記シャッタ部材は、鎖錠プレートの板面に沿ってその長手方向へスライド可能に案内支持されたシャッタ板で、該シャッタ板から側方に突出する係合突起を設け、回路遮断器への組み付け位置で前記係合突起をハンドルに係合してシャッタ板とハンドルとの間を連繋させる（請求項２）。
【発明の効果】
【００１２】
上記構成のプレート式ハンドルロック装置を回路遮断器に装着した状態でハンドルをＯＮ位置に移動すると、シャッタ板が従動して鎖錠プレートの施錠穴を塞ぐ。一方、ハンドルをＯＦＦ位置に移動するとハンドルの動きに従動してシャッタ板が施錠穴の位置から後退して施錠穴を開放する。
したがって、回路遮断器のＯＮ状態ではハンドルロック装置に南京錠を掛けることができない。一方、回路遮断器をＯＦＦ操作すると、ハンドルの動きに従動してシャッタ板が後退し、鎖錠プレートの施錠穴を開放する。これにより、不用意なハンドルの鎖錠ミスを防止し、回路遮断器のＯＦＦ状態でのみ南京錠を掛けてハンドルをＯＦＦ位置に鎖錠することが可能となって、安全，取扱い面での信頼性が向上する。
【発明を実施するための最良の形態】
【００１３】
以下、本発明の実施の形態を図１〜図４に示す実施例に基づいて説明する。なお、実施例の図中で図４，図５に対応する部材には同じ符号を付してその説明は省略する。
この実施例によるプレート式のハンドルロック装置においては、ハンドル２の側方に沿って遮断器本体のケースカバー１ｂ敷設した鎖錠プレート３には、シャッタ部材として詳細を後記するシャッタ板６を付設した上で、このシャッタ板６の一端をハンドル２に連繋し、ハンドル２のＯＮ位置ではこのシャッタ板６が鎖錠プレートの板面中央に穿孔した施錠穴３ａを塞いでここに南京錠が掛けられないようにしている。
【００１４】
すなわち、ハンドルロック装置の鎖錠プレート３は、図３の分解図で表すような形状の板金加工品で、その側縁からＬ字状に起立した板面の中央一カ所には南京錠５を掛ける施錠穴３ａが開口している。また、鎖錠プレート３のプレート基板の中央には回路遮断器のハンドル２を取り囲むように窓穴３ｃが開口し、さらにプレート基板の端部には取付座３ｄを形成しており、このプレート基板を遮断器本体のケースカバー１ｂの上に重ね合わせ、ねじ４で定位置に締結固定する。
【００１５】
また、前記のシャッタ板６は、図４（ａ），（ｂ）で示すような形状の板金加工部品で、該シャッタ板６には下縁をＵ字状に折り返したスライドガイド部６ａと、板面の端部から側方に突出する係合突起６ｂが形成されている。そして、前記鎖錠プレート３の板面に対して前記したＵ字状のスライドガイド部６ａを窓穴３ｃの縁に嵌合して長手方向へスライド可能に保持し、遮断器本体への取付け位置で前記係合突起６ｂをハンドル２の把手部側面に陥没形成されている凹部（回路遮断器に装備した既存のハンドル把手部（樹脂成形品）には、その左右側面に窪み状の凹部が形成されている）に嵌合してシャッタ板６がハンドル２と連動するようにシャッタ板６とハンドル２の間をインターロックする。
【００１６】
上記の構成で、ハンドル２をＯＮ，ＯＦＦ位置に移動操作すると、ハンドル２の動きに従動してシャッタ板６が鎖錠プレートの起立板面に沿って長手方向にスライド移動する。ここで、ハンドル２をＯＮ位置に移動した状態では、図１（ａ），図２（ａ）で示すようにシャッタ板６が施錠穴３ａを塞ぐ。したがって、このＯＮ状態ではハンドルロック装置の鎖錠プレート３に設けた施錠穴３ａ南京錠を掛けることができない。
【００１７】
一方、ハンドル２をＯＮからＯＦＦ位置に移動して回路遮断器の主回路接点を開極した状態では、図１（ｂ），図２（ｂ）で表すようにハンドル２と一緒にシャッタ板６がＯＦＦ側に移動して施錠穴３ａが開放される。そして、この施錠穴３ａに南京錠５のシャックル５ａを通して施錠すると、ハンドル２はＯＦＦ位置に拘束，鎖錠されることになる。
上記説明から明らかなように、回路遮断器のＯＮ状態では不用意にハンドルロック装置に南京錠を掛けてハンドル２をＯＮ位置に鎖錠するような操作ミスを確実に防ぎ、ＯＦＦ状態でのみ南京錠５を掛けてハンドル２をＯＦＦ位置に鎖錠することが可能となる。
【図面の簡単な説明】
【００１８】
【図１】本発明の実施例によるハンドルロック装置を回路遮断器に組み付けた使用状態での動作説明図で、（ａ）はハンドルＯＮの状態，（ｂ）は南京錠を掛けてハンドルをＯＦＦ位置に拘束した鎖錠状態を表す斜視外観図
【図２】図１の側面図で、（ａ），（ｂ）はそれぞれ図１（ａ），（ｂ）に対応する状態図
【図３】図１に示したハンドルロック装置の分解斜視図
【図４】図３におけるシャッタ板の詳細構造図で、（ａ），（ｂ）はそれぞれ端面図，および側面図
【図５】回路遮断器に組み付けた従来のプレート式ハンドルロックの使用説明図で、（ａ），（ｂ）はそれぞれハンドルのＯＮ，ＯＦＦ位置で南京錠を掛けた鎖錠状態を表す斜視外観図
【図６】図５の側面図で、（ａ），（ｂ）はそれぞれ図５（ａ），（ｂ）に対応する状態図
【符号の説明】
【００１９】
１    回路遮断器
１ａ  回路遮断器の本体ケース
１ｂ  ケースカバー
２    ハンドル
３    鎖錠プレート
３ａ  施錠穴
５    南京錠
６    シャッタ板
６ａ  スライドガイド部
６ｂ  係合突起
【図１】
2008186644.tif 000003
【図２】
2008186644.tif 000004
【図３】
2008186644.tif 000005
【図４】
2008186644.tif 000006
【図５】
2008186644.tif 000007
【図６】
2008186644.tif 000008